(57)【要約】【課題】省電力化を図りつつ、画像処理装置の機能を他の装置へ従来よりも速やかに提供する。【解決手段】画像形成装置１Ａは、電源をオンにしておくべき時間帯である第一のオン時間帯と電源のオフにしておくべき時間帯であるオフ時間帯とを定める第一のスケジュールデータを有し、これに基づいて自らのハードウェアモジュールの少なくとも一部の電源のオンおよびオフを切り換える。画像形成装置１Ａは、画像形成装置１Ａと連携して処理を行う画像形成装置１Ｂから、画像形成装置１Ｂの電源をオンにしておくべき時間帯である第二のオン時間帯を定める第二のスケジュールデータを取得し、第二のスケジュールデータに基づいて、第二のオン時間帯と同じ時間帯の全部分または一部分が第一のオン時間帯に含まれるように第一のスケジュールデータを更新する。【選択図】図１
2018037994.tif 000002
【特許請求の範囲】
【請求項１】
電源をオンにしておくべき時間帯である第一のオン時間帯と電源のオフにしておくべき時間帯であるオフ時間帯とが第一のスケジュールデータによって定められており、当該第一のスケジュールデータに基づいて自らのハードウェアモジュールの少なくとも一部の電源のオンおよびオフを切り換える画像処理装置であって、
当該画像処理装置と連携して処理を行う他の装置から、当該他の装置の電源をオンにしておくべき時間帯である第二のオン時間帯を定める第二のスケジュールデータを取得する取得手段と、
前記第二のスケジュールデータに基づいて、前記第二のオン時間帯と同じ時間帯の全部分または一部分が前記第一のオン時間帯に含まれるように前記第一のスケジュールデータを更新する、更新手段と、
を有することを特徴とする画像処理装置。
【請求項２】
ファイルサーバの機能、を有し、
前記更新手段は、前記第二のオン時間帯と同じ時間帯のうちの前記ファイルサーバの機能が遠隔的に使用された時間帯が前記第一のオン時間帯に含まれるように前記第一のスケジュールデータを更新する、
請求項１に記載の画像処理装置。
【請求項３】
特定の処理を実行する特定処理機能、を有し、
前記更新手段は、前記第二のオン時間帯と同じ時間帯のうちの前記特定処理機能が使用された時間帯が前記第一のオン時間帯に含まれるように前記第一のスケジュールデータを更新する、
請求項１に記載の画像処理装置。
【請求項４】
前記特定処理機能は、通信回線を介して前記他の装置と連携して行われる処理である、
請求項３に記載の画像処理装置。
【請求項５】
前記特定処理機能は、通信回線を介して当該画像処理装置へアクセスする前記他の装置または当該他の装置のユーザを認証する処理である、
請求項３に記載の画像処理装置。
【請求項６】
前記取得手段は、所定の時刻に前記第二のスケジュールデータを取得する、
請求項１ないし請求項５のいずれかに記載の画像処理装置。
【請求項７】
前記取得手段は、前記第二のスケジュールデータを、当該第二のスケジュールデータが更新された際に取得する、
請求項１ないし請求項５のいずれかに記載の画像処理装置。
【請求項８】
前記他の装置は複数台あり、
前記取得手段は、前記他の装置のそれぞれから前記第二のスケジュールデータを取得し、
前記更新手段は、少なくとも１つの前記第二のスケジュールデータによって定められる前記第二のオン時間帯と同じ時間帯の全部分または一部分が前記第一のオン時間帯に含まれるように前記第一のスケジュールデータを更新する、
請求項１ないし請求項７のいずれかに記載の画像処理装置。
【請求項９】
複数のＣＰＵ（Central Processing Unit）を有する画像処理装置であって、
電源をオンにしておくべき時間帯である第一のオン時間帯および電源のオフにしておくべき時間帯であるオフ時間帯を定める第一のスケジュールデータを記憶する記憶手段と、
当該画像処理装置と連携して特定の処理を行う他の装置から、当該他の装置の電源をオンにしておくべき時間帯である第二のオン時間帯を定める第二のスケジュールデータを取得する取得手段と、
前記第二のスケジュールデータに基づいて、前記オフ時間帯のうちの、前記第二のオン時間帯と同じ時間帯が、第三のオン時間帯として含まれるように、前記第一のスケジュールデータを更新する、更新手段と、
前記第一のスケジュールデータに基づいて、前記第一のオン時間帯においては前記複数のＣＰＵすべてへ電力を供給し、前記第三のオン時間帯においては前記複数のＣＰＵのうちの前記特定の処理に使用されるＣＰＵを含む一部へのみ電力を供給する、電力供給手段と、
を有することを特徴とする画像処理装置。
【請求項１０】
電源をオンにしておくべき時間帯である第一のオン時間帯と電源のオフにしておくべき時間帯であるオフ時間帯とが第一のスケジュールデータによって定められており、当該第一のスケジュールデータに基づいて自らのハードウェアモジュールの少なくとも一部の電源のオンおよびオフを切り換える画像処理装置における、スケジュール更新方法であって、
当該画像処理装置と連携して処理を行う他の装置から、当該他の装置の電源をオンにしておくべき時間帯である第二のオン時間帯を定める第二のスケジュールデータを取得し、
前記第二のスケジュールデータに基づいて、前記第二のオン時間帯と同じ時間帯の全部分または一部分が前記第一のオン時間帯に含まれるように前記第一のスケジュールデータを更新する、
を有することを特徴とするスケジュール更新方法。
【請求項１１】
複数のＣＰＵ（Central Processing Unit）を有する画像処理装置における電力供給方法であって、
電源をオンにしておくべき時間帯である第一のオン時間帯および電源のオフにしておくべき時間帯であるオフ時間帯を定める第一のスケジュールデータを記憶手段に記憶させておき、
当該画像処理装置と連携して特定の処理を行う他の装置から、当該他の装置の電源をオンにしておくべき時間帯である第二のオン時間帯を定める第二のスケジュールデータを取得し、
前記第二のスケジュールデータに基づいて、前記オフ時間帯のうちの、前記第二のオン時間帯と同じ時間帯が、第三のオン時間帯として含まれるように、前記第一のスケジュールデータを更新し、
前記第一のスケジュールデータに基づいて、前記第一のオン時間帯においては前記複数のＣＰＵすべてへ電力を供給し、前記第三のオン時間帯においては前記複数のＣＰＵのうちの前記特定の処理に使用されるＣＰＵを含む一部へのみ電力を供給する、
ことを特徴とする電力供給方法。
【請求項１２】
電源をオンにしておくべき時間帯である第一のオン時間帯と電源のオフにしておくべき時間帯であるオフ時間帯とが第一のスケジュールデータによって定められており、当該第一のスケジュールデータに基づいて自らのハードウェアモジュールの少なくとも一部の電源のオンおよびオフを切り換える画像処理装置に用いられるコンピュータプログラムであって、
前記画像処理装置に、
当該画像処理装置と連携して処理を行う他の装置から、当該他の装置の電源をオンにしておくべき時間帯である第二のオン時間帯を定める第二のスケジュールデータを取得する、取得処理を実行させ、
前記第二のスケジュールデータに基づいて、前記第二のオン時間帯と同じ時間帯の全部分または一部分が前記第一のオン時間帯に含まれるように前記第一のスケジュールデータを更新する、更新処理を実行させる、
ことを特徴とするコンピュータプログラム。
【請求項１３】
複数のＣＰＵ（Central Processing Unit）を有し、電源をオンにしておくべき時間帯である第一のオン時間帯および電源のオフにしておくべき時間帯であるオフ時間帯を定める第一のスケジュールデータに基づいて電力の供給を制御する画像処理装置に用いられるコンピュータプログラムであって、
前記画像処理装置に、
当該画像処理装置と連携して特定の処理を行う他の装置から、当該他の装置の電源をオンにしておくべき時間帯である第二のオン時間帯を定める第二のスケジュールデータを取得する、取得処理を実行させ、
前記第二のスケジュールデータに基づいて、前記オフ時間帯のうちの、前記第二のオン時間帯と同じ時間帯が、第三のオン時間帯として含まれるように、前記第一のスケジュールデータを更新する、更新処理を実行させ、
前記第一のスケジュールデータに基づいて、前記第一のオン時間帯においては前記複数のＣＰＵすべてへ電力を供給し、前記第三のオン時間帯においては前記複数のＣＰＵのうちの前記特定の処理に使用されるＣＰＵを含む一部へのみ電力を供給する、供給処理を実行させる、
ことを特徴とするコンピュータプログラム。
【発明の詳細な説明】
【技術分野】
【０００１】
本発明は、ＭＦＰなどの画像処理装置における省電力の技術に関する。
【背景技術】
【０００２】
従来、様々な製品のための省電力の方法が提案されている。「画像形成装置」、「複合機」、または「ＭＦＰ（Multi Function Peripherals）」などと呼ばれる多機能な画像処理装置のための省電力の方法も、提案されている。
【０００３】
特許文献１に記載される画像処理装置は、次のように省電力を図る。ＮＩＣが、予め定められた週間スケジュールに従って、各機能ブロックを起動する。これにより、夜間や休日などの使用頻度が低い時刻に、ＮＩＣを通電有り状態に維持しつつ、その他の機器である機能ブロック各々を通電無し状態にする。そして、スリープモードの状態でも、制御部が保持するファームウェアの更新要否を判別するために、ＮＩＣが、情報配信サーバにバージョンアップの有無を問い合わせる処理や、外部のホスト装置からの要求に対して応答する処理などを実行する。
【０００４】
また、近年、企業、役所、または学校などの施設において複数台の画像処理装置が通信回線を介して連携して処理を行うことがある。
【０００５】
２台の画像処理装置が連携して処理を行う場合において、一方の画像処理装置の電源がオフであることがある。すると、他方の画像処理装置は、一方の画像処理装置の電源がオンになるまで、処理を指令することができない。
【０００６】
そこで、次のような方法が提案されている。複数の画像形成装置を通信可能に接続させ、親機となる任意の画像形成装置が複写対象の原稿を読み取り、子機となる他の画像形成装置に対して原稿情報および連結指示情報を供給し、同一原稿から複数の画像形成装置が分担・並行して同一複写処理を実行する連結複写機能を備え、かつ、少なくとも子機が、各曜日毎に設定されたＯＮ／ＯＦＦ時間に合わせて主電源をＯＮ／ＯＦＦするウィークリータイマー機能を備えた複写機ネットワークシステムの連結複写方法において、親機から複写動作を行っていない子機に対して連結動作通知がなされた場合、子機は連結動作通知がなされている期間は、ウィークリータイマー機能を無効とする（特許文献２）。
【先行技術文献】
【特許文献】
【０００７】
【特許文献１】特開２００７−２７４４８７号公報
【特許文献２】特開２０００−４７５３６号公報
【発明の概要】
【発明が解決しようとする課題】
【０００８】
特許文献２に記載される方法によると、一方の装置（子機）は、ウィークリータイマー機能が無効である間は、電源がオンの状態なので、他方の装置（親機）からの指令に基づいて処理を速やかに行うことができる。
【０００９】
しかし、子機は、連結動作通知がなされる前は、電源がオフの状態である場合があり得る。この場合は、親機は、子機において電源がオンになりシステムが起動し終わるまで、子機への指令を待たなければならない。
【００１０】
本発明は、このような問題点に鑑み、省電力化を図りつつ、画像処理装置の機能を他の装置へ従来よりも速やかに提供できるようにすることを、目的とする。
【課題を解決するための手段】
【００１１】
本発明の一形態に係る画像処理装置は、電源をオンにしておくべき時間帯である第一のオン時間帯と電源のオフにしておくべき時間帯であるオフ時間帯とが第一のスケジュールデータによって定められており、当該第一のスケジュールデータに基づいて自らのハードウェアモジュールの少なくとも一部の電源のオンおよびオフを切り換える画像処理装置であって、当該画像処理装置と連携して処理を行う他の装置から、当該他の装置の電源をオンにしておくべき時間帯である第二のオン時間帯を定める第二のスケジュールデータを取得する取得手段と、前記第二のスケジュールデータに基づいて、前記第二のオン時間帯と同じ時間帯の全部分または一部分が前記第一のオン時間帯に含まれるように前記第一のスケジュールデータを更新する、更新手段と、を有する。
【００１２】
好ましくは、ファイルサーバの機能、を有し、前記更新手段は、前記第二のオン時間帯と同じ時間帯のうちの前記ファイルサーバの機能が遠隔的に使用された時間帯が前記第一のオン時間帯に含まれるように前記第一のスケジュールデータを更新する。
【００１３】
または、特定の処理を実行する特定処理機能、を有し、前記更新手段は、前記第二のオン時間帯と同じ時間帯のうちの前記特定処理機能が使用された時間帯が前記第一のオン時間帯に含まれるように前記第一のスケジュールデータを更新する。前記特定処理機能は、通信回線を介して前記他の装置と連携して行われる処理である。または、通信回線を介して当該画像処理装置へアクセスする前記他の装置または当該他の装置のユーザを認証する処理である。
【００１４】
本発明の他の一形態に係る画像処理装置は、複数のＣＰＵ（Central Processing Unit）を有する画像処理装置であって、電源をオンにしておくべき時間帯である第一のオン時間帯および電源のオフにしておくべき時間帯であるオフ時間帯を定める第一のスケジュールデータを記憶する記憶手段と、当該画像処理装置と連携して特定の処理を行う他の装置から、当該他の装置の電源をオンにしておくべき時間帯である第二のオン時間帯を定める第二のスケジュールデータを取得する取得手段と、前記第二のスケジュールデータに基づいて、前記オフ時間帯のうちの、前記第二のオン時間帯と同じ時間帯が、第三のオン時間帯として含まれるように、前記第一のスケジュールデータを更新する、更新手段と、前記第一のスケジュールデータに基づいて、前記第一のオン時間帯においては前記複数のＣＰＵすべてへ電力を供給し、前記第三のオン時間帯においては前記複数のＣＰＵのうちの前記特定の処理に使用されるＣＰＵを含む一部へのみ電力を供給する、電力供給手段と、を有する。
【発明の効果】
【００１５】
本発明によると、省電力化を図りつつ、画像処理装置の機能を他の装置へ従来よりも速やかに提供することができる。
【図面の簡単な説明】
【００１６】
【図１】画像処理システムの全体的な構成の例を示す図である。
【図２】画像形成装置のハードウェア構成の例を示す図である。
【図３】アクセス実績データの例を示す図である。
【図４】ジョブログデータの例を示す図である。
【図５】画像形成装置の機能的構成の例を示す図である。
【図６】スケジュールデータおよびスケジュールデータそれぞれに示されるスケジュールの例を示す図である。
【図７】更新後のスケジュールデータに示されるスケジュールの例を示す図である。
【図８】親機における全体的な処理の流れの例を説明するフローチャートである。
【図９】子機における全体的な処理の流れの例を説明するフローチャートである。
【図１０】親機における全体的な処理の流れの変形例を説明するフローチャートである。
【図１１】所定の期間における画像形成装置から画像形成装置のボックスへのアクセスの回数の例を示す図である。
【図１２】所定の期間における画像形成装置から画像形成装置のボックスへのアクセスの回数の例を示す図である。
【図１３】更新後のスケジュールデータに示されるスケジュールの例を示す図である。
【図１４】所定の期間における画像形成装置（子機）からの指令に基づく画像形成装置（親機）による特定の種類のジョブの実行の回数の例を示す図である。
【図１５】所定の期間における画像形成装置（子機）からの指令に基づく画像形成装置（親機）による特定の種類のジョブの実行の回数の例を示す図である。
【図１６】更新後のスケジュールデータに示されるスケジュールの例を示す図である。
【図１７】更新後のスケジュールデータに示されるスケジュールの例を示す図である。
【発明を実施するための形態】
【００１７】
図１は、画像処理システム４の全体的な構成の例を示す図である。図２は、画像形成装置１のハードウェア構成の例を示す図である。図３は、アクセスログデータ５５の例を示す図である。図４は、ジョブログデータ５６の例を示す図である。
【００１８】
画像処理システム４は、図１に示すように、複数台の画像形成装置１、複数台の端末装置２、および通信回線３などによって構成される。
【００１９】
各画像形成装置１および各端末装置２は、通信回線３を介して通信することができる。通信回線３として、ＬＡＮ（Local Area Network）回線、インターネット、公衆回線、または専用線などが用いられる。
【００２０】
画像形成装置１は、コピー、ネットワークプリント、ファックス、スキャン、およびボックスなどの機能を集約した装置である。一般に、「複合機」または「ＭＦＰ（Multi-functional Peripheral）」などと呼ばれることがある。
【００２１】
ボックス機能は、ユーザごとに「ボックス」または「パーソナルボックス」などと呼ばれる記憶領域を与えておき、各ユーザが自分の記憶領域によって画像ファイルなどのドキュメントデータを保存し管理するための機能である。「サーバ機能」または「ファイルサーバ機能」などと呼ばれることもある。ボックスは、パーソナルコンピュータにおける「フォルダ」または「ディレクトリ」に相当する。
【００２２】
ユーザは、他の装置（端末装置２または他の画像形成装置１）から遠隔的にボックスへアクセスし、ボックスに保存されているファイルを使用したり、ボックスにファイルを保存したりすることができる。
【００２３】
以下、各画像形成装置１を、「画像形成装置１Ａ」、「画像形成装置１Ｂ」、「画像形成装置１Ｃ」、…と区別して記載することがある。
【００２４】
画像形成装置１Ａには、他の画像形成装置１に備わっていない機能が備わっており、この機能を他の画像形成装置１へ提供することができる。
【００２５】
例えば、画像形成装置１Ａには、ＯＣＲ（Optical Character Recognition）の機能が備わっている。画像形成装置１Ｂは、自らスキャンして生成した画像データを、ＯＣＲの指令とともに画像形成装置１Ａへ送信する。すると、画像形成装置１Ａは、この画像データに対してＯＣＲの処理を施し、テキストデータを生成し、画像形成装置１Ｂへ送信する。以下、この一連の処理のジョブを「Ｓｃａｎ＿Ｔｏ＿ＯＣＲ」と記載する。
【００２６】
さらに、画像形成装置１Ａには、認証サーバの機能が備わっている。認証サーバの機能は、画像形成装置１Ａへアクセスしようとする装置（端末装置２または他の画像形成装置１）を認証し、または、その装置を使用するユーザを認証する機能である。
【００２７】
以下、機能を提供する側の画像形成装置１を「親機」と記載し、機能を提供される側の画像形成装置１を「子機」と記載する。
【００２８】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、補助記憶装置１０ｄ、タッチパネルディスプレイ１０ｅ、操作キーパネル１０ｆ、ＮＩＣ（Network Interface Card）１０ｇ、モデム１０ｈ、スキャンユニット１０ｉ、画像処理部１０ｊ、プリントユニット１０ｋ、および電源部１０ｍなどによって構成される。
【００２９】
タッチパネルディスプレイ１０ｅは、ユーザに対するメッセージを示す画面、ユーザがコマンドまたは情報を入力するための画面、およびＣＰＵ１０ａが実行した処理の結果を示す画面などを表示する。また、タッチパネルディスプレイ１０ｅは、タッチされた位置を示す信号をＣＰＵ１０ａへ送る。
【００３０】
操作キーパネル１０ｆは、いわゆるハードウェアキーボードであって、テンキー、スタートキー、ストップキー、およびファンクションキーなどによって構成される。
【００３１】
ＮＩＣ１０ｇは、ＴＣＰ／ＩＰ（Transmission Control Protocol/Internet Protocol）などのプロトコルによって他の画像形成装置１または端末装置２と通信する。ＮＩＣ１０ｇとして、ＷＯＬ（Wake On LAN）に対応のＮＩＣが用いられる。
【００３２】
モデム１０ｈは、ファクシミリ端末との間でＧ３などのプロトコルで画像データをやり取りする。
【００３３】
スキャンユニット１０ｉは、プラテンガラスの上にセットされたシートに記されている画像を読み取って画像データを生成する。
【００３４】
画像処理部１０ｊは、ＮＩＣ１０ｇ、モデム１０ｈ、またはスキャンユニット１０ｉによって得られた画像データに対して解像度の変換、傾き補正、天地補正、またはラスタライズなどの処理を行う。
【００３５】
プリントユニット１０ｋは、画像処理部１０ｊによって画像処理が施された画像データに基づいて画像を用紙に印刷する。
【００３６】
電源部１０ｍは、上に例示した、画像形成装置１のハードウェアモジュールへ電力を供給する。
【００３７】
ＲＯＭ１０ｃまたは補助記憶装置１０ｄには、ＢＩＯＳ（Basic Input/Output System）のほか、上述のコピーおよびネットワークプリントなどの機能を実現するためのプログラムが記憶されている。さらに、親機になり得る画像形成装置１には、親機用プログラム１０Ｐが記憶されている。子機になり得る画像形成装置１には、子機用プログラム１０Ｑが記憶されている。親機用プログラム１０Ｐおよび子機用プログラム１０Ｑは、ともに、スケジュールに基づいて電源のオン／オフを切り換えるためのプログラムである。
【００３８】
これらのプログラムは、ＲＡＭ１０ｂにロードされ、ＣＰＵ１０ａによって実行される。補助記憶装置１０ｄとして、ハードディスクまたはＳＳＤ（Solid State Drive）などが用いられる。
【００３９】
ＢＩＯＳには、タイマ起動機能が備わっている。「タイマ起動機能」は、指定された日時（以下、「指定日時」と記載する。）になったら自動的に電源をオンにする機能である。「Wake On RTC Timer」、「自動起動機能」、または「ウィークリータイマー」などと呼ばれることもある。ただし、一部の画像形成装置１には、タイマ起動機能、親機用プログラム１０Ｐ、および子機用プログラム１０Ｑが備わっていない。
【００４０】
以下、親機用プログラム１０Ｐによる処理および子機用プログラム１０Ｑによる処理を、画像形成装置１Ａが親機であり、画像形成装置１Ａ以外の画像形成装置１が子機である場合を例に、説明する。画像形成装置１Ａは、タイマ起動機能および親機用プログラム１０Ｐを備える。それ以外の画像形成装置１のうち、少なくとも画像形成装置１Ｂおよび１Ｃは、タイマ起動機能および子機用プログラム１０Ｑを備える。
【００４１】
また、補助記憶装置１０ｄには、その画像形成装置１に設けられたボックスへのアクセスの実績がアクセスログデータ５５として記憶される。具体的には、ボックスへアクセスされるごとに、図３のような、そのボックスの識別子、アクセス元である装置（画像形成装置１または端末装置２）の識別子、アクセスされた日時などを示すデータがアクセスログデータ５５として補助記憶装置１０ｄに記憶される。ボックスの識別子として、例えば、ボックス名が用いられる。また、装置の識別子として、ＩＰアドレスが用いられる。
【００４２】
さらに、補助記憶装置１０ｄには、その画像形成装置１におけるジョブの実行の実績がジョブログデータ５６として記憶される。具体的には、その画像形成装置１においてジョブが実行されるごとに、図４のような、そのジョブの種類、そのジョブの指令元である装置（画像形成装置１または端末装置２）の識別子、そのジョブを実行した日時などを示すデータがジョブログデータ５６として補助記憶装置１０ｄに記憶される。
【００４３】
このように、補助記憶装置１０ｄには、ボックスへのアクセスの履歴およびジョブの実行の履歴が蓄積される。
【００４４】
図５は、画像形成装置１の機能的構成の例を示す図である。図６は、スケジュールデータ５１およびスケジュールデータ５２それぞれに示されるスケジュールの例を示す図である。図７は、更新後のスケジュールデータ５１に示されるスケジュールの例を示す図である。
【００４５】
親機用プログラム１０Ｐによると、図５に示すスケジュールデータ記憶部１０１、電源制御部１０２、スケジュールデータ取得部１０３、スケジュール照合部１０４、およびスケジュール更新部１０５などが実現される。
【００４６】
子機用プログラム１０Ｑによると、スケジュールデータ記憶部１２１、電源制御部１２２、スケジュール送信部１２３、およびスケジュール更新部１２４などが実現される。
【００４７】
画像形成装置１Ａのスケジュールデータ記憶部１０１には、スケジュールデータ５１が記憶されている。
【００４８】
スケジュールデータ５１は、画像形成装置１Ａ自身の電源のオン／オフに関するスケジュールを示す。具体的には、図６（Ａ）のような、各ウィークデイすなわち月曜日から金曜日までそれぞれの、１時間ごとの、画像形成装置１Ａ自身の電源のスケジュールを示す。灰色の時間帯は、電源をオンにしておくべき時間帯を意味し、白色の時間帯は、電源をオフにしておくべき時間帯を意味する。
【００４９】
以下、電源をオンにしておくべき時間帯を「オン時間帯」と記載し、オフにしておく時間帯を「オフ時間帯」と記載する。本実施形態では、土曜日および日曜日は、すべての画像形成装置１において、すべての時間帯において（つまり、終日）オフ時間帯である。
【００５０】
画像形成装置１Ｂ、１Ｃ、…のスケジュールデータ記憶部１２１には、スケジュールデータ５２が記憶されている。以下、画像形成装置１Ｂ、１Ｃ、…それぞれのスケジュールデータ５２を「スケジュールデータ５２Ｂ」、「スケジュールデータ５２Ｃ」、…と区別して記載することがある。
【００５１】
スケジュールデータ５２は、画像形成装置１Ｂ、１Ｃ、…それぞれの電源のオン／オフに関するスケジュールを示す。例えば、画像形成装置１Ｂのスケジュールデータ５２（スケジュールデータ５２Ｂ）は、図６（Ｂ）のように、月曜日から金曜日までそれぞれの、１時間ごとの、画像形成装置１Ｂの電源のスケジュールを示す。または、画像形成装置１Ｃのスケジュールデータ５２（スケジュールデータ５２Ｃ）は、図６（Ｃ）のように、月曜日から金曜日までそれぞれの、１時間ごとの、画像形成装置１Ｂの電源のスケジュールを示す。
【００５２】
画像形成装置１Ａにおいて、電源制御部１０２は、スケジュールデータ５１などに基づいて、画像形成装置１Ａ自身の電源のオン／オフを次のように制御する。
【００５３】
電源制御部１０２は、電源がオンである状態において、オフ時間帯になったら、次のオン時間の開始の時刻を指定時刻としてＢＩＯＳに設定する。そして、画像形成装置１Ａ自身の電源をオフにするように電源部１０ｍへ指令する。すると、電源部１０ｍによって、画像形成装置１Ａ自身の電源がオフにされる。具体的には、ＣＰＵ１０ａ、ＲＡＭ１０ｂ、ＲＯＭ１０ｃ、補助記憶装置１０ｄ、タッチパネルディスプレイ１０ｅ、操作キーパネル１０ｆ、スキャンユニット１０ｉ、画像処理部１０ｊ、およびプリントユニット１０ｋなどへの電力の供給が停止される。その後、指定時刻になると、電源部１０ｍによって、画像形成装置１Ａ自身の電源がオンにされる。
【００５４】
例えば、２０１６年７月２０日水曜日の１２時（正午）になると、電源制御部１０２は、同日の１３時を指定時刻としてＢＩＯＳに設定する。そして、画像形成装置１Ａ自身の電源をオフにするように電源部１０ｍへ指令する。または、２０１６年７月２２日金曜日の２０時になると、電源制御部１０２は、２０１６年７月２５日月曜日の８時を指定時刻としてＢＩＯＳに設定する。そして、画像形成装置１Ａ自身の電源をオフにするように電源部１０ｍへ指令する。
【００５５】
その後、指定時刻になると、ＢＩＯＳおよび電源部１０ｍなどによって電源がオンにされ、画像形成装置１Ａのシステム（例えば、オペレーティングシステムなど）が起動し、親機用プログラム１０Ｐも起動する。
【００５６】
また、画像形成装置１Ａにおいて、端末装置２または他の画像形成装置１からマジックパケットが送信されてきた場合も、ＢＩＯＳおよび電源部１０ｍなどによって電源がオンにされる。そして、その後に受信したデータに基づいて適宜、ジョブを実行する。
【００５７】
そのジョブの実行後、他のジョブのデータを受信することなく、かつ、ユーザによって操作が行われることなく、所定の時間（例えば、５分）が経過したら、その時点がオフ時間帯であれば、電源制御部１０２は、上述の通り指定時間をＢＩＯＳに設定し、電源部１０ｍに電源をオフにさせる。
【００５８】
画像形成装置１Ｂ、１Ｃ、…それぞれの電源制御部１２２は、画像形成装置１Ｂ、１Ｃ、…それぞれのスケジュールデータ５２に基づいて、画像形成装置１Ｂ、１Ｃ、…自身の電源のオン／オフを制御する。例えば、画像形成装置１Ｂの電源制御部１２２は、スケジュールデータ５２Ｂ（図６（Ｂ）参照）に基づいて画像形成装置１Ｂ自身の電源のオン／オフを制御する。制御の仕方は、画像形成装置１Ａにおける電源制御部１０２による電源のオン／オフの制御の仕方と同様である。
【００５９】
画像形成装置１Ａにおいて、スケジュールデータ取得部１０３、スケジュール照合部１０４、およびスケジュール更新部１０５は、所定の時期（例えば、毎週金曜日の１６時）に、画像形成装置１Ａ自身のスケジュールデータ５１を書き換える処理を次のように実行する。所定の時期は、すべての画像形成装置１においてオン時間帯である曜日および時刻であることが、望ましい。
【００６０】
スケジュールデータ取得部１０３は、スケジュールデータ５２を、画像形成装置１Ｂ、１Ｃ、…へ要求し、取得する。要求の際に、スケジュールデータ取得部１０３は、要求データ５３を画像形成装置１Ｂ、１Ｃ、…へ送信する。要求データ５３を送信する前に、画像形成装置１Ｂ、１Ｃ、…へマジックパケットを送信してもよい。
【００６１】
画像形成装置１Ｂ、１Ｃ、…それぞれにおいて、スケジュール送信部１２３は、要求データ５３を画像形成装置１Ａから受信すると、自らのスケジュールデータ５２をスケジュールデータ記憶部１２１から読み出し、画像形成装置１Ａへ送信する。電源がオフであること、子機用プログラム１０Ｑまたはタイマ起動機能が備わっていないこと、通信に障害が生じていること、または子機用プログラム１０Ｑが起動していないことなどが原因で、スケジュールデータ５２が画像形成装置１Ａへ送信できない場合がある。
【００６２】
画像形成装置１Ａにおいて、スケジュール照合部１０４は、要求データ５３が送信された後、所定の時間（例えば、１分）が経過したら、スケジュールデータ５１に示されるスケジュールと、所定の時間が経過するまでにスケジュールデータ取得部１０３によって取得されたスケジュールデータ５２それぞれに示されるスケジュールとを照合する。そして、画像形成装置１Ａにおいてはオフ時間帯であるが、画像形成装置１Ｂ、１Ｃ、…のいずれかにおいてはオン時間帯である時間帯を抽出する。
【００６３】
例えば、スケジュールデータ取得部１０３によって画像形成装置１Ｂおよび１Ｃそれぞれからスケジュールデータ５２Ｂおよび５２Ｃが取得されたが、画像形成装置１Ｂおよび１Ｃ以外の画像形成装置１からはスケジュールデータ５２が取得されなかったとする。この場合は、スケジュール照合部１０４は、スケジュールデータ５１に示されるスケジュールと、スケジュールデータ５２Ｂおよびスケジュールデータ５２Ｃそれぞれに示されるスケジュールとを、照合（比較）する。
【００６４】
すると、月曜日の８−９時の時間帯が、画像形成装置１Ａにおいてはオフ時間帯であるが画像形成装置１Ｂにおいてはオン時間帯であることが、分かる。また、月曜日から金曜日までそれぞれの２０−２１時の時間帯および２１−２２時の時間帯が、画像形成装置１Ａにおいてはオフ時間帯であるが画像形成装置１Ｃにおいてはオン時間帯であることが、分かる。
【００６５】
そこで、スケジュール照合部１０４は、月曜日の８−９時の時間帯ならびに月曜日から金曜日までそれぞれの２０−２１時の時間帯および２１−２２時の時間帯を抽出する。
【００６６】
なお、スケジュール照合部１０４は、スケジュールデータ５２を画像形成装置１Ａへ送信しなかった画像形成装置１については、常時、オフ時間帯であるものと、みなす。つまり、常時オフ時間帯であることを示すデータを生成し、このデータをこれらの画像形成装置１からスケジュールデータ５２として受信したものとして、照合を行う。
【００６７】
スケジュール更新部１０５は、スケジュールデータ５１を、スケジュール照合部１０４によって抽出された時間帯がオン時間帯になるように更新する。上述の図６（Ａ）〜（Ｃ）の例の場合は、図７に太枠で示すように、月曜日の８−９時の時間帯および月曜日から金曜日までそれぞれの２０−２１時、２１−２２時の時間帯がオン時間帯になるように更新する。
【００６８】
画像形成装置１Ｂ、１Ｃ、…において、スケジュール更新部１２４は、ユーザの操作に応じてオン時間帯およびオフ時間帯が変更されるように、自らのスケジュールデータ５２を更新する。
【００６９】
例えば、画像形成装置１Ｂにおいて、月曜日の１２−１３時の時間帯をオン時間帯に変更する操作が行われると、スケジュール更新部１２４は、月曜日の１２−１３時の時間帯がオン時間帯になるようにスケジュールデータ５２Ｂを更新する。
【００７０】
画像形成装置１Ａにおいて、スケジュール更新部１０５は、ユーザの操作に応じて、スケジュール更新部１２４と同様に、オン時間帯およびオフ時間帯が変更されるようにスケジュールデータ５１を更新する。
【００７１】
なお、スケジュールデータ取得部１０３は、所定の時期が訪れた際に画像形成装置１Ｂ、１Ｃ、…それぞれからのスケジュールデータ５２を取得する処理を行った。しかし、この処理を、画像形成装置１Ｂ、１Ｃ、…いずれかにおいてスケジュールデータ５２が更新された際に行ってもよい。
【００７２】
この場合は、画像形成装置１Ｂ、１Ｃ、…それぞれのスケジュール更新部１２４は、自らのスケジュールデータ５２が更新された際に、更新通知データ５４を画像形成装置１Ａへ送信する。
【００７３】
そして、画像形成装置１Ａにおいて、スケジュールデータ取得部１０３は、更新通知データ５４を受信したタイミングで、要求データ５３を画像形成装置１Ｂ、１Ｃ、…へ送信する。スケジュール照合部１０４およびスケジュール更新部１０５は、上述の方法によって、画像形成装置１Ａのスケジュールと他の画像形成装置１のスケジュールとを照合し、その結果に応じてスケジュールデータ５１を更新する。
【００７４】
なお、更新通知データ５４の代わりに、更新されたスケジュールデータ５２がスケジュール送信部１２３によって画像形成装置１Ａへ送信されるようにしてもよい。
【００７５】
この場合は、スケジュール照合部１０４は、スケジュールデータ５１に示されるスケジュールを、このスケジュールデータ５２に示されるスケジュールのみと、照合すればよい。そして、スケジュール更新部１０５は、後者においてはオン時間帯であるが前者においてはオフ時間帯である時間帯がオン時間帯になるように、スケジュールデータ５１を更新すればよい。
【００７６】
図８は、親機における全体的な処理の流れの例を説明するフローチャートである。図９は、子機における全体的な処理の流れの例を説明するフローチャートである。
【００７７】
次に、スケジュールデータ５１の更新に関する全体的な処理の流れを、画像形成装置１Ａが親機であり他の画像形成装置１が子機である場合を例に、フローチャートを参照しながら説明する。
【００７８】
画像形成装置１Ａは、親機用プログラム１０Ｐに基づいて、図８に示す手順で処理を実行する。また、画像形成装置１Ａ以外の画像形成装置１は、子機用プログラム１０Ｑに基づいて、図９に示す手順で処理を実行する。
【００７９】
画像形成装置１Ａは、所定の時期になると（図８の＃１１でＹｅｓ）、スケジュールデータ５１を更新する処理を次のように実行する（＃１３〜＃１８）。
【００８０】
画像形成装置１Ａは、他の画像形成装置１へ要求データ５３を送信することによって、スケジュールデータ５２を要求し取得する（＃１３）。
【００８１】
所定の時間が経過するまでにスケジュールデータ５２を送信してこない他の画像形成装置１がある場合は（＃１４でＮｏ）、画像形成装置１Ａは、当該他の画像形成装置１のスケジュールデータ５２として、常時オフ時間帯であることを示すデータを生成する（＃１５）。
【００８２】
画像形成装置１Ａは、自らのスケジュールデータ５１に示されるスケジュールとステップ＃１３で取得しまたはステップ＃１５で生成した各スケジュールデータ５２に示されるスケジュールとを照合することによって、画像形成装置１Ａにおいてはオフ時間帯であるが、画像形成装置１Ｂ、１Ｃ、…のいずれかにおいてはオン時間帯である時間帯を抽出する（＃１６）。
【００８３】
そのような時間帯を抽出することができた場合は（＃１７でＹｅｓ）、画像形成装置１Ａは、抽出した時間帯がオン時間帯になるようにスケジュールデータ５１を更新する（＃１８）。抽出することができなかった場合は（＃１７でＮｏ）、スケジュールデータ５１を更新しない。
【００８４】
画像形成装置１Ａは、現在の日時が、スケジュールデータ５１に示されるオフ時間になったら（＃１９でＹｅｓ）、次のオン時間帯の始まりの日時を指定日時としてＢＩＯＳに設定する（＃２０）。そして、電源をオフにする（＃２１）。
【００８５】
その後、指定時刻になると、画像形成装置１Ａは、電源をオンにし、システムおよび親機用プログラム１０Ｐなどを起動する。
【００８６】
一方、画像形成装置１Ａ以外の画像形成装置１は、画像形成装置１Ａから要求データ５３を受信すると（図９の＃３１でＹｅｓ）、自らのスケジュールデータ５２を画像形成装置１Ａへ送信する（＃３２）。または、スケジュールデータ５２を更新する操作をユーザが行うと（＃３３でＹｅｓ）、その操作に応じて自らのスケジュールデータ５２を更新するとともに（＃３４）、更新通知データ５４を画像形成装置１Ａへ送信する（＃３５）。更新通知データ５４の代わりに、更新後のスケジュールデータ５２を送信してもよい。また、現在の日時がスケジュールデータ５１に示されるオフ時間になったら（＃３６でＹｅｓ）、次のオン時間帯の始まりの日時を指定日時としてＢＩＯＳに設定する（＃３７）。そして、電源をオフにする（＃３８）。その後、指定時刻になると、電源をオンにし、システムおよび子機用プログラム１０Ｑなどを起動する。
【００８７】
画像形成装置１Ａは、他の画像形成装置１から更新通知データ５４を受信すると（＃１２でＹｅｓ）、所定の時期になった場合と同様に、スケジュールデータ５１を更新する処理を実行する（＃１３〜＃１８）。
【００８８】
なお、更新通知データ５４の代わりにスケジュールデータ５２が送信されてきた場合は、画像形成装置１Ａは、画像形成装置１Ａ自身のスケジュールデータ５１と、このスケジュールデータ５２とに基づいて、ステップ＃１６〜＃１８の処理を実行すればよい。
【００８９】
そのほか、画像形成装置１Ａは、スケジュールデータ５１を更新する操作をユーザが行うと（＃２２でＹｅｓ）、その操作に応じてスケジュールデータ５１を更新する（＃２３）。
【００９０】
本実施形態によると、画像形成装置１Ａの省電力化を図りつつ、画像形成装置１Ａの機能を他の画像形成装置１（１Ｂ、１Ｃ、…）へ従来よりも速やかに提供することができる。
【００９１】
図１０は、親機における全体的な処理の流れの変形例を説明するフローチャートである。図１１は、所定の期間における画像形成装置１Ｂから画像形成装置１Ａのボックスへのアクセスの回数の例を示す図である。図１２は、所定の期間における画像形成装置１Ｃから画像形成装置１Ａのボックスへのアクセスの回数の例を示す図である。図１３は、更新後のスケジュールデータ５１に示されるスケジュールの例を示す図である。図１４は、所定の期間における画像形成装置１Ｂ（子機）からの指令に基づく画像形成装置１Ａ（親機）による特定の種類のジョブの実行の回数の例を示す図である。図１５は、所定の期間における画像形成装置１Ｃ（子機）からの指令に基づく画像形成装置１Ａ（親機）による特定の種類のジョブの実行の回数の例を示す図である。図１６は、更新後のスケジュールデータ５１に示されるスケジュールの例を示す図である。図１７は、更新後のスケジュールデータ５１に示されるスケジュールの例を示す図である。
【００９２】
本実施形態では、画像形成装置１Ａは、画像形成装置１Ａにおいてオフ時間帯であるが画像形成装置１Ｂ、１Ｃ、…のいずれかにおいてオン時間帯である時間帯を抽出した。そして、他の条件に関わらず、抽出した時間帯がオン時間帯になるようにスケジュールデータ５１を更新した。しかし、スケジュールデータ５１を、図１０に示す手順で更新してもよい。
【００９３】
図１０のステップ＃７１〜＃７５の処理、ステップ＃８１〜＃８３の処理、およびステップ＃８４〜＃８５の処理は、それぞれ、図８のステップ＃１１〜＃１５の処理、ステップ＃１９〜＃２１の処理、およびステップ＃２２〜＃２３の処理と同様である。
【００９４】
スケジュール照合部１０４は、図８のステップ＃１６と同様に、画像形成装置１Ａにおいてオフ時間帯であるが画像形成装置１Ｂ、１Ｃ、…のいずれかにおいてオン時間帯である時間帯（以下、「候補時間帯」と記載する。）を抽出する（＃７６）。
【００９５】
スケジュール更新部１０５は、候補時間帯が抽出されると（＃７７でＹｅｓ）、候補時間帯において過去の所定の期間（例えば、直近の１ヶ月間）に所定の回数以上、ボックスへのアクセスがあったか否かをアクセスログデータ５５（図３参照）に基づいてチェックする（＃７８）。
【００９６】
そして、所定の期間に所定の回数以上、ボックスへのアクセスがあった場合は（＃７９でＹｅｓ）、スケジュール更新部１０５は、この候補時間帯がオン時間帯になるようにスケジュールデータ５１を更新する（＃８０）。そうでない場合は（＃７９でＮｏ）、更新しない。
【００９７】
ステップ＃７６において候補時間帯が複数、抽出された場合は、スケジュール更新部１０５は、それぞれの候補時間帯についてステップ＃７８〜＃８０の処理を実行する。
【００９８】
例えば、画像形成装置１Ｂおよび１Ｃそれぞれからの、所定の期間におけるボックスへのアクセスの回数が、図１１および図１２に示す通りであり、月曜日の８−９時の時間帯ならびに月曜日から金曜日までそれぞれの２０−２１時の時間帯および２１−２２時の時間帯（図７において太枠で示す時間帯）が、候補時間帯として抽出されたとする。そして、所定の回数が「１回」であるとする。
【００９９】
この場合は、候補時間帯のうちの月曜日の２１−２２時の時間帯のみ、アクセスの回数が所定の回数に達していない。よって、スケジュール更新部１０５は、スケジュールデータ５１を、図１３に示すように、候補時間帯のうちの月曜日の２１−２２時の時間帯以外の候補時間帯がオン時間になるように、スケジュールデータ５１を更新する。
【０１００】
または、ボックスへのアクセスの回数の代わりに、他の装置またはそのユーザの認証の回数を記録し、その回数に基づいてスケジュールデータ５１の更新の要否を判別してもよい。
【０１０１】
または、スケジュール更新部１０５は、ステップ＃７８において、過去の所定の期間中の候補時間帯に所定の回数以上、特定の種類のジョブ（例えば、Ｓｃａｎ＿Ｔｏ＿ＯＣＲジョブ）が実行されたか否かをジョブログデータ５６（図４参照）に基づいてチェックする。
【０１０２】
そして、所定の期間に所定の回数以上、特定の種類のジョブを実行した場合は（＃７９でＹｅｓ）、スケジュール更新部１０５は、この候補時間帯がオン時間帯になるようにスケジュールデータ５１を更新する（＃８０）。そうでない場合は（＃７９でＮｏ）、更新しない。ステップ＃７６において候補時間帯が複数、抽出された場合は、スケジュール更新部１０５は、それぞれの候補時間帯についてステップ＃７８〜＃８０の処理を実行する。
【０１０３】
例えば、画像形成装置１Ｂおよび１Ｃそれぞれからの指令に基づく所定の期間における特定のジョブの実行の回数が、図１４および図１５に示す通りであり、月曜日の８−９時の時間帯ならびに月曜日から金曜日までそれぞれの２０−２１時の時間帯および２１−２２時の時間帯（図７において太枠で示す時間帯）が、候補時間帯として抽出されたとする。そして、所定の回数が「１回」であるとする。
【０１０４】
この場合は、火曜日の２１−２２時の時間帯のみ、アクセスの回数が所定の回数に達していない。よって、スケジュール更新部１０５は、スケジュールデータ５１を、図１６に示すように、候補時間帯のうちの火曜日の２１−２２時の時間帯以外の候補時間帯がオン時間になるように、スケジュールデータ５１を更新する。
【０１０５】
なお、スケジュール更新部１０５は、ステップ＃７８において、候補時間帯がオン時間帯である画像形成装置１のみからのアクセスの回数が所定の回数以上であるか否かをチェックしてもよい。または、候補時間帯がオン時間帯である画像形成装置１からの指令に基づく特定のジョブのみの実行の回数が所定の回数以上であるか否かをチェックしてもよい。
【０１０６】
本実施形態では、電源制御部１０２、１２２は、ＣＰＵ１０ａ、ＲＡＭ１０ｂ、ＲＯＭ１０ｃ、補助記憶装置１０ｄ、タッチパネルディスプレイ１０ｅ、操作キーパネル１０ｆ、スキャンユニット１０ｉ、画像処理部１０ｊ、およびプリントユニット１０ｋなどへの電力の供給を電源部１０ｍに停止させることによって、電源をオフにした。つまり、画像形成装置１のシステムをシャットダウンした。
【０１０７】
しかし、シャットダウンする代わりに、画像形成装置１をスリープモードなどの省電力モードにしてもよい。この場合は、ＢＩＯＳへの指定日時の書込みは、行わない。その代わりに、電源制御部１０２、１２２は、オン時間帯になったら、省電力モードを電源部１０ｍに解除させることによって、通常の電力のモードに戻す。
【０１０８】
本実施形態では、サーバ（ファイルサーバまたは認証サーバ）の機能の処理およびＯＣＲの機能の処理などを共通のＣＰＵ１０ａによって実現した。しかし、画像形成装置１に複数のＣＰＵが設けられ、サーバの機能の処理がこれらのＣＰＵのうちの１つによって独立的に実行されることがある。
【０１０９】
一般に、早朝および夜間は、ファイルの同期などメンテナンスに関する処理が実行されることが、ほとんどである。つまり、ＯＣＲの機能はあまり使用されず、ボックスへのアクセスおよび認証の要求のほうが多い。
【０１１０】
そこで、画像形成装置１Ａにおいて、スケジュール更新部１０５は、図１７に太枠およびハッチで示すように、スケジュール照合部１０４によって抽出された時間帯が一部オン時間帯になるように、スケジュールデータ５１を更新してもよい。
【０１１１】
そして、電源部１０ｍは、一部オン時間帯になったら、ボックスの機能を提供するために必要なハードウェアモジュール（例えば、上述の１つのＣＰＵおよび補助記憶装置１０ｄなど）には通常通り、電力を供給する。しかし、それ以外のハードウェアモジュール（他のＣＰＵの一部または全部、タッチパネルディスプレイ１０ｅ、操作キーパネル１０ｆ、モデム１０ｈ、スキャンユニット１０ｉ、画像処理部１０ｊ、プリントユニット１０ｋなど）への電力の供給を休止の状態にする。
【０１１２】
その後、オフ時間帯になったら、電源部１０ｍは、上述の通り、ＢＩＯＳに指定時間を設定する。または、オン時間帯になったら、すべてのハードウェアへ通常通り電力を供給する。
【０１１３】
本実施形態では、時間帯を、月曜日から金曜日までそれぞれを１時間（６０分）ごとに区切った。つまり、ウィークデイの１２０個の時間に区切った。しかし、他の区切り方であってもよい。例えば、月曜日から日曜日までそれぞれを２時間（１２０分）ごとに区切ってもよい。つまり、１週間を８４個の時間に区切ってもよい。
【０１１４】
画像形成装置１が親機および子機を兼ねる場合がある。この場合は、スケジュールデータ記憶部１０１がスケジュールデータ記憶部１２１を兼ねればよい。そして、スケジュール送信部１２３は、スケジュールデータ記憶部１０１からスケジュールデータ５１を読み出し、これをスケジュールデータ５２として他の画像形成装置１へ送信すればよい。また、スケジュール更新部１２４は、スケジュールデータ５１を更新すればよい。
【０１１５】
その他、画像処理システム４、画像形成装置１の全体または各部の構成、処理の内容、処理の順序、データの構成などは、本発明の趣旨に沿って適宜変更することができる。
【符号の説明】
【０１１６】
１  画像形成装置
１０１  スケジュールデータ記憶部（記憶手段）
１０２  電源制御部（電力供給手段）
１０３  スケジュールデータ取得部（取得手段）
１０５  スケジュール更新部（更新手段）
５１  スケジュールデータ（第一のスケジュールデータ）
５２  スケジュールデータ（第二のスケジュールデータ）
【図１】
2018037994.tif 000003
【図２】
2018037994.tif 000004
【図３】
2018037994.tif 000005
【図４】
2018037994.tif 000006
【図５】
2018037994.tif 000007
【図６】
2018037994.tif 000008
【図７】
2018037994.tif 000009
【図８】
2018037994.tif 000010
【図９】
2018037994.tif 000011
【図１０】
2018037994.tif 000012
【図１１】
2018037994.tif 000013
【図１２】
2018037994.tif 000014
【図１３】
2018037994.tif 000015
【図１４】
2018037994.tif 000016
【図１５】
2018037994.tif 000017
【図１６】
2018037994.tif 000018
【図１７】
2018037994.tif 000019